(57)【要約】【課題】ダイレクトオンモードに設定されている場合に、設定項目の変更を禁止または許可するかのいずれかを選択することができるプロジェクターを提供する。【解決手段】モード情報２１ａがダイレクトオンモードまたは通常モードのいずれかに設定されているかに応じて設定項目２１ｂの設定変更可否情報２１ｃを設定し、設定変更操作を検出した場合に設定変更可否情報２１ｃの内容に応じて設定項目２１ｂの変更を行う。【選択図】図２
2012198267.tif 000002
【特許請求の範囲】
【請求項１】
光源から射出された光を画像情報に応じて変調して投写する画像投写部を有するプロジェクターであって、
電源より電力が供給されたときに前記光源を点灯して起動するダイレクトオンモード、または、前記電源より電力が供給されたときに前記光源を点灯せずに待機状態に移行する通常モードのいずれかが設定されるモード情報と、当該プロジェクターの設定項目と、当該設定項目の内容の変更を許可するか否かの設定変更可否情報とを記憶する記憶部と、
当該プロジェクターの本体に備えられ、入力操作を受け付ける本体操作部と、
当該プロジェクターを遠隔操作するためのリモートコントローラーから送信される操作信号を受信する操作信号受信部と、
前記本体操作部が受け付けた前記入力操作、および前記操作信号受信部が受信した操作信号に基づいて、当該プロジェクターの動作を制御する制御部と、
を備え、
前記制御部は、前記モード情報の設定内容に応じて、前記設定変更可否情報を設定し、
前記制御部は、前記本体操作部による前記入力操作、または前記操作信号受信部が受信した操作信号による前記設定項目の変更操作を検出した場合、前記設定変更可否情報の内容に応じて、前記設定項目の内容の変更を行うことを特徴とする、プロジェクター。
【請求項２】
請求項１に記載のプロジェクターであって、
前記制御部は、前記モード情報がダイレクトオンモードに設定されている場合において、前記本体操作部による前記入力操作または前記操作信号受信部が受信した操作信号による変更操作のいずれによる設定変更操作を検出したかに応じて、前記設定変更可否情報を設定することを特徴とする、プロジェクター。
【請求項３】
請求項１または２に記載のプロジェクターであって、
前記制御部は、前記本体操作部による前記入力操作または前記操作信号受信部が受信した操作信号による前記設定項目の設定変更操作を受け付けたとき、前記設定変更可否情報により設定変更が許可されていなかった場合に前記画像投写部に設定変更が禁止されているメッセージを投写することを特徴とする、プロジェクター。
【請求項４】
光源から射出された光を画像情報に応じて変調して投写する画像投写部を有するプロジェクターの制御方法であって、
電源より電力が供給されたときに前記光源を点灯して起動するダイレクトオンモード、または、前記電源より電力が供給されたときに前記光源を点灯せずに待機状態に移行する通常モードのいずれかが設定されるモード情報と、当該プロジェクターの設定項目と、当該設定項目の内容の変更を許可するか否かの設定変更可否情報とを記憶する記憶部と、
当該プロジェクターの本体に備えられ、入力操作を受け付ける本体操作部と、
当該プロジェクターを遠隔操作するためのリモートコントローラーから送信される操作信号を受信する操作信号受信部と、
を備え、
前記モード情報に前記ダイレクトオンモードまたは前記通常モードのいずれかを設定するモード変更ステップと、
前記モード変更ステップによる設定内容に応じて、前記設定変更可否情報を設定する設定変更可否設定ステップと、
前記本体操作部による前記入力操作、または前記操作信号受信部が受信した操作信号による前記設定項目の変更操作を検出した場合、前記設定変更可否情報の内容に応じて、前記設定項目の内容の変更を行う設定項目変更ステップと、を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
従来、プロジェクターにおいて、商用電源（ＡＣ電源）より、電力が供給されたときに、当該プロジェクターの光源を点灯して投写を開始するモード（以降、「ダイレクトオンモード」と呼ぶ）を備えたものが知られている。このようなダイレクトオンモードを備えたプロジェクターによれば、商用電源より電力を供給するだけで投写が開始されるため、電源キーによる電源オン操作が不要になる。よって、例えば、複数のプロジェクターを併用する場合や、プロジェクターを他の機器と併用して使用する場合等に、電源投入や電源切断をシステムとして一括して行うことが可能になるため、有効である。
【０００３】
このようなプロジェクターをダイレクトオンモードで使用する場合においては、設定項目を決まった内容に固定して使う場合が多い。このため、誤って操作を行い、設定を変更してしまった場合、元の設定に戻すのが面倒だった。特にプロジェクターを天吊り設置で使っている場合、リモートコントローラー（リモコン／ＲＣとも称する）を使わねばならず、リモコンが手元にない場合、すぐには設定を変更することができないという問題があった。
【０００４】
特許文献１には使用状態が変化したことを検出して、認証を求めるプロジェクターが提案されている。
【先行技術文献】
【特許文献】
【０００５】
【特許文献１】特開２００６−３０８８２６号公報
【発明の概要】
【発明が解決しようとする課題】
【０００６】
しかしながら、このようなプロジェクターでは、使用する度に認証が必要であり、非常に面倒であった。特に、ダイレクトオンモードで起動のたびに認証を行うのでは、ダイレクトオン機能の利便性が失われてしまうという課題があった。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、光源から射出された光を画像情報に応じて変調して投写する画像投写部を有するプロジェクターであって、電源より電力が供給されたときに前記光源を点灯して起動するダイレクトオンモード、または、前記電源より電力が供給されたときに前記光源を点灯せずに待機状態に移行する通常モードのいずれかが設定されるモード情報と、当該プロジェクターの設定項目と、当該設定項目の内容の変更を許可するか否かの設定変更可否情報とを記憶する記憶部と、当該プロジェクターの本体に備えられ、入力操作を受け付ける本体操作部と、当該プロジェクターを遠隔操作するためのリモートコントローラーから送信される操作信号を受信する操作信号受信部と、前記本体操作部が受け付けた前記入力操作、および前記操作信号受信部が受信した操作信号に基づいて、当該プロジェクターの動作を制御する制御部と、を備え、前記制御部は、前記モード情報の設定内容に応じて、前記設定変更可否情報を設定し、前記制御部は、前記本体操作部による前記入力操作、または前記操作信号受信部が受信した操作信号による前記設定項目の変更操作を検出した場合、前記設定変更可否情報の内容に応じて、前記設定項目の内容の変更を行うことを特徴とする。
【０００９】
本適用例によれば、モード情報の設定内容に応じて設定項目の設定変更可否情報を設定し、設定変更操作検出時に設定変更可否情報に応じて設定項目の変更を行う。これにより、例えばダイレクトオンモードのときに、入力端子切替を禁止することで、ダイレクトオンモードで投写中に誤って操作し、入力端子が切り替えられるのを防止することが可能となる。
【００１０】
［適用例２］上記適用例に記載のプロジェクターにおいて、前記制御部は、前記モード情報がダイレクトオンモードに設定されている場合において、前記本体操作部による前記入力操作または前記操作信号受信部が受信した操作信号による変更操作のいずれによる設定変更操作を検出したかに応じて、前記設定変更可否情報を設定することを特徴とする。
【００１１】
本適用例によれば、モード情報がダイレクトオンモードに設定されているとき、本体操作部、またはリモコンによる操作の、いずれによる設定変更操作を検出したかにより、設定変更可否情報を設定する。つまり、ダイレクトオンモードに設定されているとき、本体操作部の操作による設定変更は禁止とし、リモコン操作による設定変更は可能、またはその逆のような設定ができるので、設定項目の変更はリモコンで行い、設定変更を伴わない通常の使用は本体操作部による操作でも可能とすることで、誤って設定項目が変更されてしまうのを防止することが可能となる。
【００１２】
［適用例３］上記適用例に記載のプロジェクターにおいて、前記制御部は、前記本体操作部による前記入力操作または前記操作信号受信部が受信した操作信号による前記設定項目の設定変更操作を受け付けたとき、前記設定変更可否情報により設定変更が許可されていなかった場合に前記画像投写部に設定変更が禁止されているメッセージを投写することを特徴とする。
【００１３】
本適用例によれば、設定変更操作が禁止されていることをメッセージ画面により、操作したユーザーが確認できるので、設定変更ができない場合に故障であると間違えることがなくなり、変更操作をしないように警告を促すことが可能になる。
【００１４】
［適用例４］本適用例に係るプロジェクターの制御方法は、光源から射出された光を画像情報に応じて変調して投写する画像投写部を有するプロジェクターの制御方法であって、電源より電力が供給されたときに前記光源を点灯して起動するダイレクトオンモード、または、前記電源より電力が供給されたときに前記光源を点灯せずに待機状態に移行する通常モードのいずれかが設定されるモード情報と、当該プロジェクターの設定項目と、当該設定項目の内容の変更を許可するか否かの設定変更可否情報とを記憶する記憶部と、当該プロジェクターの本体に備えられ、入力操作を受け付ける本体操作部と、当該プロジェクターを遠隔操作するためのリモートコントローラーから送信される操作信号を受信する操作信号受信部と、を備え、前記モード情報に前記ダイレクトオンモードまたは前記通常モードのいずれかを設定するモード変更ステップと、前記モード変更ステップによる設定内容に応じて、前記設定変更可否情報を設定する設定変更可否設定ステップと、前記本体操作部による前記入力操作、または前記操作信号受信部が受信した操作信号による前記設定項目の変更操作を検出した場合、前記設定変更可否情報の内容に応じて、前記設定項目の内容の変更を行う設定項目変更ステップと、を有することを特徴とする。
【００１５】
本適用例によれば、モード情報の設定内容に応じて設定項目の設定変更可否情報を設定し、設定変更操作検出時に設定変更可否情報に応じて設定項目の変更を行う。これにより、例えばダイレクトオンモードのときに、入力端子切替を禁止することで、ダイレクトオンモードで投写中に誤って操作し、入力端子が切り替えられるのを防止することが可能となる。
【図面の簡単な説明】
【００１６】
【図１】プロジェクターの回路構成を示すブロック図。
【図２】プロジェクターの動作を示すフローチャート。（ａ）は設定項目変更操作を受け付けたときの動作、（ｂ）はモード情報変更操作時の動作を示す。
【図３】プロジェクターの警告メッセージを示す図。
【図４】プロジェクターの本体操作部のキー配置を示す図。
【図５】プロジェクターのリモコンのキー配置を示す図。
【発明を実施するための形態】
【００１７】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１８】
（第１実施形態）
図１は、本実施形態のプロジェクターの回路構成を示すブロック図である。
図１に示すように、プロジェクター１は、画像投写部１０、制御部２０、記憶部２１、光源制御部２２、本体操作部２３、操作信号受信部２４、画像信号入力部５、画像信号処理部３、ＯＳＤ処理部４、電源端子６、電源部７等で構成されており、これらは図示しない筐体の内部に収容されている。
【００１９】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調し、投写レンズ１３から投写することによってスクリーンＳＣ等に画像を表示する。
【００２０】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２１】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
【００２２】
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
【００２３】
形成された各色の画像光は、図示しない色合成光学系によって画素毎に合成されてカラーの画像光となった後、投写レンズ１３によってスクリーンＳＣ等に拡大投写される。
【００２４】
上記実施形態では、光源１１として光源ランプ１１ａを用いて投写するプロジェクター１を例示したが、本発明は、光源１１としてＬＥＤ（Light emitting diode）光源やレーザー光源などを用いて投写するプロジェクターにも適用することができる。
なお、上記実施形態では、画像投写部１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２５】
制御部２０は、図示しないＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。
【００２６】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
本実施形態では設定データとして、モード情報２１ａ、設定項目２１ｂ、及び設定変更可否情報２１ｃが記憶部２１に保存される。
【００２７】
モード情報２１ａは、プロジェクター１に電力が供給されたときに光源１１を点灯して起動するダイレクトオンモード、または電力が供給されたときに光源１１を点灯せずに待機状態に移行する通常モードのどちらに切り替えられているかを表す情報である。
設定項目２１ｂはプロジェクター１の動作のための各種設定情報、例えば画像信号入力部５の複数の入力端子のうち、いずれかが選択されているかの内容を示す情報である。
設定変更可否情報２１ｃは、設定項目２１ｂの変更を許可するか否かを示す情報である。
【００２８】
制御部２０は設定項目２１ｂの変更操作を受け付けると、設定変更可否情報２１ｃに設定の変更を許可する設定がされている場合にのみ、設定項目２１ｂの内容の変更を行う。
【００２９】
本体操作部２３は、プロジェクター１の本体筐体外面に備えられ、ユーザーからの入力操作を受け付けるものであり、ユーザーがプロジェクター１に対して各種指示を行うための複数の操作キーを備えている。
【００３０】
図４に示すように、本体操作部２３が備える操作キーとしては、電源のオン・オフを交互に切り替えるための電源キー２３ａや、画像信号入力部５に入力される複数の画像入力端子を切り替えるための入力切替キー２３ｂ、各種設定を行うための設定メニューを重畳表示させるメニューキー２３ｃ、メニューからユーザーが設定項目を選択するカーソルキー２３ｄ、決定キー２３ｅ、エスケープキー２３ｆ、ヘルプキー２３ｇ等がある。
ユーザーが本体操作部２３の各種操作キーを操作すると、本体操作部２３は、ユーザーの操作内容に応じた操作信号を制御部２０に出力する。
【００３１】
操作信号受信部２４は、遠隔操作で入力操作を行うリモートコントローラー（リモコン／ＲＣとも称する）２５からの操作信号を受信し、ユーザーの操作内容に応じた、操作信号を制御部２０に出力する。
図５に示すように、リモコン２５が備える操作キーとしては、本体操作部２３と同等である、電源キー２５ａ、入力切替キー２５ｂ、メニューキー２５ｃ、カーソルキー２５ｄ、決定キー２５ｅ、エスケープキー２５ｆ、ヘルプキー２５ｇのキーに加え、画面ミュートキー２５ｈ、画面縦横比切替キー２５ｉ、カラーモード切替キー２５ｊ、番号入力キー２５ｋ等がある。
【００３２】
画像信号入力部５は、上述したように複数の画像入力端子を備えており、各画像入力端子より、ビデオ再生装置やパーソナルコンピューター等、外部の画像出力装置から、図示しないケーブルを介して画像情報が入力される。
【００３３】
画像信号処理部３は、画像信号入力部５から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３４】
ＯＳＤ処理部４は、制御部２０の指示に基づいて、投写画像上に、メニュー画像やメッセージ画像等のＯＳＤ（オンスクリーンディスプレイ）画像を重畳して表示するための処理を行う。ＯＳＤ処理部４は、図示しないＯＳＤメモリーを備えており、ＯＳＤ画像を形成するための図形やフォント等を表すＯＳＤ画像情報を記憶している。
【００３５】
制御部２０が、ＯＳＤ画像の重畳表示を指示すると、ＯＳＤ処理部４は、必要なＯＳＤ画像情報をＯＳＤメモリーから読み出し、投写画像上の所定の位置にＯＳＤ画像が重畳されるように、画像信号処理部３から入力される画像情報にこのＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部４は、画像信号処理部３から入力される画像情報を、そのまま液晶駆動部１４に出力する。
【００３６】
液晶駆動部１４は本実施形態における画像形成部であり、ＯＳＤ処理部４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３７】
電源部７は、ＡＣ１００Ｖ等の商用電源などに接続される電源端子６を介して、外部より電力が供給される。電源部７は、入力した電力を所定の直流電力に変換して、プロジェクター１の各部に電力を供給する。また、電源部７は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３８】
光源制御部２２は、制御部２０の指示に基づいて、光源１１に対する電力の供給と停止とを制御し、光源１１の点灯、及び消灯を切り替える。
【００３９】
次に、本実施形態のプロジェクター１の動作を図２（ａ）、（ｂ）のフローチャートを用いて説明する。
〔設定項目変更操作時の動作〕
図２（ａ）はプロジェクター１が設定項目変更操作を受け付けたときの動作を示すフローチャートである。
図２（ａ）に示すように、プロジェクター１が、本体操作部２３または操作信号受信部２４より設定項目２１ｂの変更操作を受け付けると（ステップＳ１０１）、制御部２０はモード情報２１ａがダイレクトオンモードに設定されているか否かを調べる（ステップＳ１０２）。
モード情報２１ａがダイレクトオンモードに設定されている場合（ステップＳ１０２：Ｙ）、ステップＳ１０３に遷移する。モード情報２１ａがダイレクトオンモードに設定されていない場合、即ち通常モードに設定されている場合（ステップＳ１０２：Ｎ）、ステップＳ１０６に遷移する。
【００４０】
ステップＳ１０３において制御部２０は、ステップＳ１０１で受け付けた変更操作がリモコン２５によるものか否かを調べる。リモコン２５の操作による場合（ステップＳ１０３；Ｙ）、制御部２０は設定変更可否情報２１ｃに、リモコン２５による設定項目２１ｂの変更可否情報を設定し（ステップＳ１０４）、ステップＳ１０６に遷移する。
一方、リモコン２５による操作ではない場合、即ち本体操作部２３による設定変更操作の場合（ステップＳ１０３：Ｎ）、設定変更可否情報２１ｃに、本体操作部２３による設定項目２１ｂの変更可否情報を設定し（ステップＳ１０５）、ステップＳ１０６に遷移する。
【００４１】
ステップＳ１０６において制御部２０は、設定変更可否情報２１ｃにおいて、設定項目２１ｂの変更が許可されているか否かを調べる。変更が許可されている場合（ステップＳ１０６：Ｙ）、制御部２０は設定項目２１ｂの設定内容を変更し、ステップＳ１０９に遷移する。
一方、変更が許可されていない、即ち設定変更が禁止されている場合（ステップＳ１０６：Ｎ）、図３に示すような設定変更禁止メッセージＭ１を画像投写部１０から投写し（ステップＳ１０８）、ステップＳ１０９に遷移する（ステップＳ１０６、Ｓ１０７、Ｓ１０８が設定項目変更ステップに相当する。）。
【００４２】
ステップＳ１０９において本動作フローを終了する。
【００４３】
〔モード情報変更操作時の動作〕
図２（ｂ）はプロジェクター１がモード情報変更操作を受け付けたときの動作を示すフローチャートである。
図２（ｂ）に示すように、プロジェクター１が本体操作部２３、または操作信号受信部２４より、モード情報２１ａの変更操作を受け付けると（ステップＳ２０１）、変更要求されたモード情報２１ａのモード（ダイレクトオンモード、または通常モード）に対応した設定変更の可否情報を、設定変更可否情報２１ｃに設定し（ステップＳ２０２）、ステップＳ２０３に遷移する（ステップＳ２０２が設定変更可否設定ステップに相当する。）。
【００４４】
ステップＳ２０３において本動作フローを終了する。
【００４５】
以上説明したように、本実施形態のプロジェクター１によれば、モード情報２１ａの設定内容に応じて設定変更可否情報２１ｃを設定し、変更操作検出時に設定変更可否情報２１ｃの設定内容に応じて設定項目２１ｂの変更を行う。
これにより、例えばダイレクトオンモードのときに、入力端子切替を禁止することで、ダイレクトオンモードで投写中に誤って操作し、入力端子が切り替えられるのを防止することが可能となる。
【００４６】
また、モード情報２１ａがダイレクトオンモードに設定されているとき、本体操作部２３、またはリモコン２５による操作のいずれによる設定変更操作を検出したかにより、設定変更可否情報２１ｃを設定する。
つまり、モード情報２１ａがダイレクトオンモードに設定されているとき、本体操作部２３の操作による設定変更は禁止し、リモコン２５の操作による設定変更は可能、またはその逆のような設定ができるので、設定項目２１ｂの変更はリモコン２５で行い、設定変更を伴わない通常の使用は本体操作部２３による操作でも可能とすることで、誤って設定項目２１ｂが変更されてしまうのを防止することが可能となる。
【００４７】
また、設定項目２１ｂの変更操作が禁止されていることを設定変更禁止メッセージＭ１により、操作したユーザーが確認できるので、設定項目２１ｂの変更ができない場合に故障であると間違えることがなくなり、変更操作をしないように警告を促すことが可能になる。
【００４８】
（変形例１）
また、上記実施形態は、以下のように変更してもよい。
上述した実施形態においては、設定項目２１ｂは１つであるが、複数の設定項目と、各設定項目に対応する設定変更可否情報を記憶し、モード情報２１ａの設定内容に伴い、設定するようにしてもよい。これにより、プロジェクター１の使用状況に応じて、ダイレクトオンモード、または通常モードのいずれかに設定されているかにより、変更を許可する設定項目と変更を禁止する設定項目を細かく設定することが可能になる。
【符号の説明】
【００４９】
１…プロジェクター、３…画像信号処理部、４…ＯＳＤ処理部、５…画像信号入力部、６…電源端子、７…電源部、１０…画像投写部、１１…光源、１２Ｒ，１２Ｇ，１２Ｂ…液晶ライトバルブ、１３…投写レンズ、１４…液晶駆動部、２０…制御部、２１…記憶部、２１ａ…モード情報、２１ｂ…設定項目、２１ｃ…設定変更可否情報、２２…光源制御部、２３…本体操作部、２４…操作信号受信部、２５…リモートコントローラー（リモコン／ＲＣ）。
【図１】
2012198267.tif 000003
【図２】
2012198267.tif 000004
【図３】
2012198267.tif 000005
【図４】
2012198267.tif 000006
【図５】
2012198267.tif 000007